(57)【要約】【課題】近年の地球温暖化傾向の歯止めとして、電気を使用せず自分の足の力で自転車のペダルをこぐことによって洗濯槽を回転させ洗濯を可能とする【解決手段】自転車のペダルの回転部と洗濯槽をベルトで連結し、自転車のペダルを自分の足の力でこぐことによって連結された洗濯槽が回転しその回転する力によって洗濯を可能にし、この課題を解決する。【選択図】図１
0003142509.tif 000002
【実用新案登録請求の範囲】
【請求項１】
自転車式回転部と洗濯槽が連結し、自転車のペダルを自分の足の力でこぐことによって洗濯槽が回転し、電気を使用することなく洗濯を可能にした自足式洗濯機
【請求項２】
自転車の回転部と洗濯槽はベルトまたはチェーンで連結し、洗濯の機能を上げるため洗濯槽の回転方向を同方向だけでなく逆回転が出来るように連結部の中間に逆回転操作装置を設置したことを特徴とする請求項１に記載の自足式洗濯機。
【請求項３】
洗濯槽の回転は縦軸に回転し、洗濯槽は多角型にし、洗濯槽内側数箇所に山形の出っ張りを設置したことを特徴とする請求項１または２に記載した自足式洗濯機。
【請求項４】
洗濯槽の回転が横軸に回転したことを特徴とする請求項１または２に記載した自足式洗濯機。
【考案の詳細な説明】
【技術分野】
【０００１】本考案は、自転車の回転部と洗濯槽が連結し、自転車のペダルをこぐことによって洗濯槽が回転し電気を使用しないで洗濯を可能にした自足式洗濯機に関するものである
【背景技術】
【０００２】近年の洗濯機は電気の質の向上、洗濯機技術向上により、二層式から一層式に、また全自動式にその機能が向上しより洗濯そのものがますます楽なってきた。しかし、その反面、電気の使用量が増大傾向にある。電気をますます使用することは気球温暖化の要因になっている。
【考案の開示】
【考案が解決しようとする課題】
【０００３】近年の洗濯機は技術向上により、より人が楽に洗濯を可能にしたが、それと比例して電気の使用量が増大傾向にあり、ますます温暖化傾向に拍車をかけているといった問題点がある。
そのため、本考案は上記した問題点を解消するために考案されたもので、電気を一切使用せず自分の足の力で自転車をこぎ洗濯槽を回転させ洗濯を可能にしたものである。
【課題を解決するための手段】
【０００４】上記の問題点を解決するために、本考案の自足式洗濯機の構成は、電気を一切使用しないで、自転車部と洗濯槽を連結し自転車のペダルをこぐことによって連結された洗濯槽が回転する構成になっている。
請求項１〜３は、洗濯槽の回転軸が縦軸を特徴とする自足式洗濯機であり、構成内容は、自転車の構造と同様に身体の上部を支える固定されたハンドル部、身体全体の体重を支えるサドル、洗濯槽を回転させるペダル、ペダルの回転を伝えるベルトまたはチェーン、洗濯の機能向上をはかるため洗濯槽の回転方向を逆にする逆回転操作装置、洗濯物を収納する洗濯槽、洗濯槽は多角型にし、さらに洗濯機能を図るため洗濯槽内側数箇所に山形の出っ張りを設置、その全体を支える台から構成され、電気を使用せずに自分の足の力で洗濯できる
【考案の効果】
【０００５】上述の様に、本考案の自足式洗濯機は、自転車部と洗濯槽で構成し、自転車と同様にペダルをこぐことによって洗濯を可能にしたものである。すなわち電気を使用せず自足の力で洗濯が可能である。電気を使用しないということは、近年、ますます問題になってきている地球温暖化対策、ＣＯ２削減対策に寄与でき、さらに、同時に運動不足、健康促進に効果を図ることが出来る。
【考案を実施するための最良の形態】
【０００６】図１から図３は、洗濯槽の回転が縦軸に回転することを特徴とする自足式洗濯機の斜視図である。
図１に示すように、人が自転車部に乗り、ペダルをこぐことによってその回転エネルギーが、洗濯槽を回転させる構成になっている。
また、洗濯槽の回転方向を逆にする逆回転操作装置、洗濯槽は多角型にし、洗濯槽内側数箇所に山形の出っ張りを設置し洗濯機能の向上を図る構成にし電気を一切使用しないで自分の足の力で洗濯ができる。【０００７】請求項４に示したように、洗濯槽の回転が横軸に回転する構造であってもよい。
【図面の簡単な説明】
【０００８】
【図１】本考案を実施するための最良の形態の自足式洗濯機の斜視図である
【図２】洗濯槽を取り外した状態の正面からの斜視図である
【図３】洗濯槽の本体図ある
【符号の説明】
【０００９】１  身体の上部を支える固定されたハンドル部
２  身体全体の体重を支えるサドル
３  洗濯槽を回転させるペダル
４  ペダルの回転を伝えるチェーン
５  チェーンの回転を洗濯槽に伝えるベルト
６  洗濯の機能向上をはかるため洗濯槽の回転方向を逆にするギア
６ａ  ギアの操作棒
７  洗濯物を収納する洗濯槽
７ａ  水の洗浄機能を図るための山形の出っ張り
７ｂ  洗濯槽のふた
８  洗濯槽の固定台
９  全体を支える台
【図１】
0003142509.tif 000003
【図２】
0003142509.tif 000004
【図３】
0003142509.tif 000005
【手続補正書】
【提出日】平成20年1月10日(2008.1.10)
【手続補正２】
【補正対象書類名】実用新案登録請求の範囲
【補正対象項目名】全文
【補正方法】変更
【補正の内容】
【実用新案登録請求の範囲】
【請求項１】
自転車のペダルと洗濯槽が連結し、自転車のペダルを自分の足の力でこぐことによって洗濯槽が回転し、電気を使用することなく洗濯を可能にした自足式洗濯機
【請求項２】
自転車のペダルと洗濯槽はベルトまたはチェーンで連結し、その連結した部分の中間に、洗濯の機能を上げるため洗濯槽の回転方向を同方向だけでなく逆回転が出来るように逆回転操作装置を設置したことを特徴とする請求項１に記載の自足式洗濯機。
【請求項３】
洗濯槽の回転は縦向きの軸を中心に回転し、洗濯槽は多角型にし、洗濯槽内側数箇所に山形の出っ張りを設置したことを特徴とする請求項１または２に記載した自足式洗濯機。
【請求項４】
洗濯槽の回転が横向きの軸を中心に回転することを特徴とする請求項１または２に記載した自足式洗濯機。
【手続補正３】
【補正対象書類名】明細書
【補正対象項目名】全文
【補正方法】変更
【補正の内容】
【考案の詳細な説明】
【技術分野】
【０００１】本考案は、自転車のペダルと洗濯槽が連結し、自転車のペダルをこぐことによって洗濯槽が回転し電気を使用しないで洗濯を可能にした自足式洗濯機に関するものである
【背景技術】
【０００２】近年の洗濯機は電気の質の向上、洗濯機技術向上により、二層式から一層式に、また全自動式にその機能が向上しより洗濯そのものがますます楽なってきた。しかし、その反面、電気の使用量が増大傾向にある。電気をますます使用することは気球温暖化の要因になっている。
【考案の開示】
【考案が解決しようとする課題】
【０００３】近年の洗濯機は技術向上により、より人が楽に洗濯を可能にしたが、それと比例して電気の使用量が増大傾向にあり、ますます温暖化傾向に拍車をかけているといった問題点がある。そのため、本考案は上記した問題点を解消するために考案されたもので、電気を一切使用せず自分の足の力で自転車をこぎ洗濯槽を回転させ洗濯を可能にしたものである。
【課題を解決するための手段】
【０００４】上記の問題点を解決するために、本考案の自足式洗濯機の構成は、電気を一切使用しないで、自転車のペダルと洗濯槽を連結し自転車のペダルをこぐことによって連結された洗濯槽が回転する構成になっている。
請求項１〜３は、洗濯槽の回転が、縦向きの軸を中心に回転することを特徴とする自足式洗濯機であり、構成内容は、自転車の構造と同様に身体の上部を支える固定されたハンドル部、身体全体の体重を支えるサドル、洗濯槽を回転させるペダル、ペダルの回転を伝えるベルトまたはチェーン、洗濯の機能向上をはかるため洗濯槽の回転方向を逆にする逆回転操作装置、洗濯物を収納する洗濯槽、洗濯槽は多角型にし、さらに洗濯機能を図るため洗濯槽内側数箇所に山形の出っ張りを設置、その全体を支える台から構成され、電気を使用せずに自分の足の力で洗濯できる
【考案の効果】
【０００５】上述の様に、本考案の自足式洗濯機は、自転車部と洗濯槽で構成し、自転車と同様にペダルをこぐことによって洗濯を可能にしたものである。すなわち電気を使用せず自足の力で洗濯が可能である。電気を使用しないということは、近年、ますます問題になってきている地球温暖化対策、ＣＯ２削減対策に寄与でき、さらに、同時に運動不足、健康促進に効果を図ることが出来る。
【考案を実施するための最良の形態】
【０００６】図１から図３は、洗濯槽の回転が縦向きの軸を中心に回転することを特徴とする自足式洗濯機の斜視図である。
図１に示すように、人が自転車部に乗り、ペダルをこぐことによってその回転エネルギーが、洗濯槽を回転させる構成になっている。
また、洗濯槽の回転方向を逆にする逆回転操作装置、洗濯槽は多角型にし、洗濯槽内側数箇所に山形の出っ張りを設置し洗濯機能の向上を図る構成にし電気を一切使用しないで自分の足の力で洗濯ができる。【０００７】請求項４に示したように、洗濯槽の回転が横向きの軸を中心に回転する構造であってもよい。